(57)【要約】【課題】撮影用光学系のズーム倍率と連動したズーム撮影補助機能を設けることにより、撮影用光学系の画角外の周辺から被写体を容易に探すことのできる撮像装置を提供する。【解決手段】ズームレンズを有する撮影用光学系１１と、撮影用光学系１１とは別に補助光学系１２を備えた撮像装置１０であって、補助光学系１２はデジタルズーム機能を有している。すなわち、補助光学系１２には、撮影用光学系１１でズーム操作が行われている際に、撮影用光学系１１の光学ズーム位置に応じたデジタルズーム倍率に設定するデジタルズーム回路５１が設けられている。【選択図】図１４
2013098905.tif 000002
【特許請求の範囲】
【請求項１】
ズームレンズを有する第一の光学系と、前記第一の光学系とは別の第二の光学系を備えた撮像装置であって、
前記第二の光学系は、前記第一の光学系の光学ズーム位置に応じたデジタルズーム倍率に設定され、
前記撮像装置は、前記第二の光学系により結像される被写体像に基づく画像データを、前記デジタルズーム倍率によりデジタルズームして表示する表示手段を備えたことを特徴とする撮像装置。
【請求項２】
前記第一の光学系の光学ズーム位置に対応する前記第二の光学系のズーム倍率を設定する設定手段を更に備え、
前記第一の光学系の光学ズーム位置が変更されると、第二の光学系は、前記設定手段により設定した、前記第一の光学系の変更した光学ズーム位置に対応する前記第二の光学系のズーム倍率に変更されることを特徴とする請求項１に記載の撮像装置。
【請求項３】
前記第一の光学系により結像される被写体像に基づく画像データをライブビュー表示するとともに、前記第二の光学系により結像される被写体像に基づく画像データをライブビュー表示することを特徴とする請求項１または２に記載の撮像装置。
【請求項４】
ズームレンズを有する第一の光学系と、前記第一の光学系とは別の第二の光学系を備えた撮像装置の制御方法であって、
前記第二の光学系を、前記第一の光学系の光学ズーム位置に応じたズーム倍率に設定し、
前記撮像装置の表示手段に、前記第二の光学系により結像される被写体像に基づく画像データを、前記デジタルズーム倍率によりデジタルズームして表示することを特徴とする撮像装置の制御方法。
【請求項５】
前記第一の光学系の光学ズーム位置に対応する前記第二の光学系のズーム倍率を設定する設定手段を更に備えている場合、
前記第一の光学系の光学ズーム位置が変更されたとき、第二の光学系を、前記設定手段により設定した、前記第一の光学系の変更した光学ズーム位置に対応する前記第二の光学系のズーム倍率に変更することを特徴とする請求項４に記載の撮像装置の制御方法。
【請求項６】
前記第一の光学系により結像される被写体像に基づく画像データをライブビュー表示するとともに、前記第二の光学系により結像される被写体像に基づく画像データをライブビュー表示することを特徴とする請求項４または５に記載の撮像装置の制御方法。
【発明の詳細な説明】
【技術分野】
【０００１】
本発明は、撮影用光学系、及び該撮影用光学系とは別の補助光学系を有する撮像装置、及び撮像装置の制御方法に関する。
【背景技術】
【０００２】
長焦点距離の撮影用光学系を搭載したデジタルスチルカメラでは、遠方の被写体を大きく撮影できるが、この場合は画角が狭くなる。そのため、撮影用光学系を通して表示されるライブビューでは、目的の被写体を見つけて画角内に収めることが難しくなる。
【０００３】
そこで、撮影用光学系よりも広い画角を持った補助光学系（この補助光学系には、専用の撮像素子が設けられている。）を、撮影用光学系とは別個に設けたデジタルスチルカメラが知られている。このようなデジタルスチルカメラにおいては、補助光学系を用いて、撮影用光学系よりも広い画角で映像入力し、撮影用光学系のライブビューを液晶画面に表示する際に、補助光学系からの映像を液晶画面にピクチャ・イン・ピクチャ形式で表示することができる。このような表示により撮影用光学系の画角外にある被写体を見つけ易くすることで、ユーザのズーム操作による撮影構図決定を補助することが可能である（以後、上記のようなピクチャ・イン・ピクチャ形式による表示を、「ズーム撮影補助機能」と称する。）。
【０００４】
また、３Ｄ撮影用の複眼カメラにおいて、右撮像系でワイド（短距離焦点）、左撮像系でテレ（長距離焦点）の同時撮影を行う際に、ワイド側及びテレ側の位置関係を把握する目的で、枠サイズをガイダンスとして表示したり、テレ側の映像にワイド側の映像をピクチャ・イン・ピクチャ形式で表示したりすることが提案されている（例えば、特許文献１参照）。
【発明の概要】
【発明が解決しようとする課題】
【０００５】
しかしながら、特許文献１や今までのズーム撮影補助機能では、より広い画角を持つ光学系（ワイド側の撮像系、前述の第ニの光学系）の画角が、探したい被写体や、撮影用光学系の画角に対して適切でなくなってしまう場合がある。例えば、被写体が小さな鳥であって、補助光学系からの映像が鳥を視認するのが難しいほど画角が広いと、被写体を探す用途に適さなくなってしまう。ズーム撮影補助機能において、補助光学系からの映像を撮影用光学系からのライブビューと同時表示するためにピクチャ・イン・ピクチャ形式で表示すると、表示領域が小さく、小さな被写体を視認するのがさらに難しくなる。
【０００６】
一方、補助光学系の画角を狭く設計すると、補助光学系からの映像は撮影用光学系の画角の周囲の狭い範囲しか確認できず、撮影用光学系の画角外のより広い範囲から被写体を探す機能が損なわれてしまう。
【０００７】
ズーム撮影補助機能を搭載した撮像装置では、コストなどの関係から撮影用光学系が高倍率のズームレンズであり、補助光学系は固定焦点レンズを用いる場合が多いが、例えば撮影用光学系の画角がズームにより狭くなると、補助光学系が撮影する映像の画角は変わらないため、撮影用光学系と補助光学系の撮影する画角が違いすぎて、この場合も撮影用光学系の画角外の周辺から被写体を探すのが難しくなるという問題がある。
【０００８】
特許文献１の技術では、ワイド側とテレ側での表示倍率の差が大きくなりすぎたときに、ワイド側で小さな被写体が見つけにくくなるという問題がある。
【０００９】
本発明の課題は、撮影用光学系及び該撮影用光学系より広い画角を持つ補助光学系を有する撮像装置において、補助光学系からの映像を、撮影用光学系のズーム倍率に応じた適切な画角で表示するズーム撮影補助機能を設けることにより、補助光学系からの映像からユーザが目的の被写体を見つけやすくすることのできる撮像装置、及び撮像装置の制御方法を提供することにある。
【課題を解決するための手段】
【００１０】
上記課題を解決するために、請求項１に記載の撮像装置は、ズームレンズを有する第一の光学系と、前記第一の光学系とは別の第二の光学系を備えた撮像装置であって、前記第二の光学系は、前記第一の光学系の光学ズーム位置に応じたデジタルズーム倍率に設定され、前記撮像装置は、前記第二の光学系により結像される被写体像に基づく画像データを、前記デジタルズーム倍率によりデジタルズームして表示する表示手段を備えたことを特徴とする。
【発明の効果】
【００１１】
本発明によれば、撮影用光学系及び該撮影用光学系より広い画角を持つ補助光学系を有する撮像装置において、補助光学系からの映像を、撮影用光学系のズーム倍率に応じた適切な画角で表示するズーム撮影補助機能を設けることにより、補助光学系からの映像からユーザが目的の被写体を見つけやすくすることができる。
【図面の簡単な説明】
【００１２】
【図１】ズーム撮影補助機能を有する撮像装置の外観斜視図である。
【図２】一般的な撮像装置のシステムブロック図である。
【図３】撮影用光学系の内部構成を説明する図である。
【図４】補助光学系の内部構成を説明する図である。
【図５】表示制御部の内部構成を示すブロック図である。
【図６】ズームアシストモニタの表示例を示す図である。
【図７】撮影用光学系のズームレンズ位置検出機構について説明した図である。
【図８】ロータリーエンコーダ及びフォトインタラプタの出力関係を示した図である。
【図９】撮影用光学系の制御に用いられる制御用の変数、及びそのテーブルを示す図である。
【図１０】ズームレンズの基準点検出の制御動作を説明したフローチャートである。
【図１１】（Ａ）はズーム操作制御の動作を説明したフローチャートであり、（Ｂ）はロータリーエンコーダパルス割込制御の動作を説明したフローチャートである。
【図１２】ズーム位置の確認処理の動作を説明したフローチャートである。
【図１３】ズーム位置テーブルを示す図である。
【図１４】実施例１による撮像装置のシステムブロック図である。
【図１５】図１４の撮像装置におけるズーム制御用の変数、及びそのテーブルを示す図である
【図１６】ズーム位置テーブルを示す図である。
【図１７】（Ａ）はズーム操作制御の動作を説明したフローチャートであり、（Ｂ）はロータリーエンコーダパルス割込制御の動作を説明したフローチャートである。
【図１８】実施例２による撮像装置におけるズーム制御用の変数、及びそのテーブルを示す図である。
【図１９】（Ａ）は操作者がassist_magn_rateを選択するための画面例を示した図であり、（Ｂ）は選択の手順を示すフローチャートである。
【図２０】ズーム撮影補助倍率比が選択される際の動作を示すフローチャートである。
【図２１】ズーム制御時にデジタルズーム回路倍率設定での倍率設定制御を説明する図である。
【発明を実施するための形態】
【００１３】
以下、本発明の実施例を図面に従って説明する。
【実施例】
【００１４】
《実施例１》
先ず、ズーム撮影補助機能を有する撮像装置の一般的な構成について、図１〜図１３を用いて説明する。
【００１５】
図１は、ズーム撮影補助機能を有する撮像装置１０の外観斜視図である。この撮像装置１０は、撮影用光学系１１と、第二の光学系としての補助光学系１２とを備えている。
【００１６】
撮影用光学系１１には、高倍率のズームレンズが使用されており、ライブビュー及び保存用の画像撮影等に用いられる。補助光学系１２には、固定焦点レンズ３１（図４参照）が使用されている。この補助光学系１２は、撮影用光学系１１を用いて高倍率ズームのライブビュー表示を行う場合に、より広い画角で映像を入力し、ピクチャ・イン・ピクチャ形式のライブビュー表示を行うことで、撮影用光学系１１が写している画角範囲の外側から被写体を探すことを可能とするために設けられている。
【００１７】
図２は、一般的な撮像装置１０のシステムブロック図である。当該撮像装置１０には、図１で示したように、撮影用光学系１１及び補助光学系１２が設けられ、これら各光学系１１，１２は、入力映像を伝送する映像Ｉ／Ｆ１３、及び光学系を制御する制御Ｉ／Ｆ１４を介して、画像処理チップ１５にそれぞれ接続されている。画像処理チップ１５は、制御用マイコンを内蔵し、周辺機器の制御を行う。
【００１８】
映像Ｉ／Ｆ１３は、入力映像のデジタル信号を伝送するもので、ＬＶＤＳ(Low Voltage  Differential Signaling)などが用いられている。制御Ｉ／Ｆ１４は、光学系のレンズ制御装置や撮像装置のコントローラに制御コマンドを送信するもので、３線シリアルなどが用いられている。光学系から入力された映像信号は、画像処理チップ１５内でＹＵＶ変換などのフォーマット変換、ガンマ補正、ノイズリダクションなどの画質補正の処理が施される。画像処理チップ１５で処理された映像は、データバスを介して表示制御部１６に送られ、ＬＣＤ(Liquid Crystal Display)１７に表示される。
【００１９】
また、画像処理チップ１５には、外部メモリ１８及び操作部１９が接続されている。外部メモリ１８は、ＳＤメモリカードなどの着脱可能なフラッシュメモリであり、撮影画像を保存する。また、操作部１９は、撮像時に、操作者のボタン操作を受け付ける。
【００２０】
図３は撮影用光学系１１の内部構成を示す図である。撮影用光学系１１は、対物レンズ２１、ズームレンズ２２，２３、ズームレンズ駆動機構２４、ズームレンズ位置検出機構２５、撮像素子２６、及びズームレンズ２２，２３間に配置された中間レンズ２７を備えている。
【００２１】
ズームレンズ２２，２３は、レンズの焦点距離を換えるためのレンズである。ズームレンズ駆動機構２４は、ズームレンズ２２，２３を光軸に平行に駆動（移動）させるためのもので、モータや、ズームレンズ２２，２３の移動量を検出するロータリーエンコーダなどを内蔵している。ズームレンズ位置検出機構２５は、ズームレンズ２３の基準位置を検出するためのもので、フォトインタラプタなどのセンサを内蔵している。撮像素子２６は、ＣＭＯＳ撮像素子やＣＣＤ撮像素子で、各レンズにより結像された像をデジタル信号に変換する。なお、ズームレンズ駆動機構２４に設けられた回転軸２４Ａの２箇所に形成されたねじ山２４Ｂ，２４Ｃはそれぞれ逆向きになっており、回転軸２４Ａが回転すると、ズームレンズ２２，２３は互いに近付いたり、遠ざかったりする。
【００２２】
図４は補助光学系１２の内部構成を示す図である。補助光学系１２は、固定焦点レンズ３１、レンズ３２、及びＣＭＯＳなどからなる撮像素子３３を備えている。この補助光学系１２には、図３の撮影用光学系１１と異なり、ズーム機構は設けられていない。
【００２３】
図５は表示制御部１６の内部構成を示すブロック図である。表示制御部１６には、ＶＲＡＭ１ ３５、ＶＲＡＭ２ ３６、及び映像合成部３７を備えている。このように表示制御部１６は、画像処理チップ１５（図２参照）とそれぞれバス接続されたＶＲＡＭ１ ３５、ＶＲＡＭ２ ３６からなる二面のＶＲＡＭを持ち、映像合成部３７によってピクチャ・イン・ピクチャなどの映像を合成し、その合成した映像をＬＣＤ１７に出力する。
【００２４】
図６は、ズームアシストモニタ（ＬＣＤ１７）における表示例を示している。撮影用光学系１１から入力された映像のライブビュー４１と、補助光学系１２から入力された映像のライブビュー４２とが、ピクチャ・イン・ピクチャ形式で合成されてＬＣＤ１７に表示されている。この場合、撮像装置１０の操作者は、撮影中の映像（つまり、ライブビュー４１）と、より広い画角で撮影される周辺の映像（つまり、ライブビュー４２）とを同時に見ることができる。そのため、ライブビュー４２の映像を確認することにより、撮影用光学系１１の画角外にあるような被写体も容易に見つけることが可能となる。
【００２５】
図７は、撮影用光学系１１のズームレンズ位置検出機構２５について説明した図である。ズームレンズ２３は、ズームレンズ駆動機構２４に内蔵されたロータリーエンコーダ４３によりズームレンズ２３の移動量を検知することができ、またズームレンズ位置検出機構２５に内蔵したフォトインタラプタ４４により、ズームレンズ２３が基準位置にあるかどうかを検知する。そして、ズームレンズ２３は、フォトインタラプタ４４で検知された基準位置を基に、ズームレンズ駆動機構２４の駆動により矢印Ａ１，Ａ２方向に移動する。
【００２６】
図８は、ロータリーエンコーダ４３及びフォトインタラプタ４４の出力関係を示した図である。図７においてズームレンズ２３がＡ１，Ａ２方向に移動すると、ロータリーエンコーダ４３からは、ズームレンズ２３の移動量に応じて、図８（Ａ）に示すように、一定周期でパルスが出力される。ズームレンズ２３が基準位置を通過すると、図８（Ｂ）に示すように、フォトインタラプタ４４から１つのパルスが出力される。この場合、図８（Ｃ）に示すように、基準位置通過時のパルス数を０と数え、それ以降、ロータリーエンコーダ４３からのパルス出力のたびにパルス数を加算して記憶することで、ズームレンズ２３の位置を記録することができる。その結果、ズームレンズ２３が移動すると、図８（Ｄ）に示すように、焦点距離が時間に比例して変化する。
【００２７】
図９は、撮影用光学系１１の制御に用いられる制御用の変数、及びそのテーブルを示している。ここで、position_cntは撮影用光学系のズームレンズ群の基準点からの位置をパルス数で保持することを示しており、また、position_tableは撮影用光学系のposition_cntで示されるズームレンズ位置と焦点距離のテーブルを、zoom_positionは撮影用光学系の現在の焦点距離をそれぞれ示している。
【００２８】
図１０は、ズームレンズの基準点検出の制御動作について説明した図である。図１０（Ａ）に示すように、ズームレンズ駆動機構２４のモータを駆動し（ステップＳ１１）、ズームレンズ２３が基準位置に到達したことの検出、つまり基準点検出まで待機して（ステップＳ１２）、モータを停止する（ステップＳ１３）。
【００２９】
また、図１０（Ｂ）に示すように、ステップＳ１１におけるモータ駆動の開始によってズームレンズ２３が動作し、ズームレンズ２３が基準位置を通過すると、ズームレンズ位置検出機構２５が基準点検出割込を発生する。この基準点検出割込を発生したときは、position_cntを０クリアする（ステップＳ１４）。
【００３０】
図１１（Ａ）は、ズーム操作制御における動作を説明したフローチャートである。図１１（Ａ）において、撮影者がズームボタンを押してズーム操作が開始すると、ズームボタンの種類検出を行い（ステップＳ２０）、さらにズームアップボタンが押下されたか否かを判断する（ステップＳ２１）。ズームアップボタンが押下された場合（つまり、ズームアップの場合）はズームレンズ駆動機構２４のモータをテレ側に駆動開始し（ステップＳ２２）、ズームアップボタンが押下されていない場合（つまり、ズームダウンの場合）はワイド側にモータを駆動開始する（ステップＳ２３）。
【００３１】
ズームレンズ駆動機構２４のモータをテレ側又はワイド側に駆動する処理が終了したら、ズームボタン開放割込を待って（ステップＳ２４）、ズームレンズ駆動機構２４のモータを停止する（ステップＳ２５）。
【００３２】
図１１（Ｂ）は、ロータリーエンコーダパルス割込制御における動作を説明したフローチャートである。ロータリーエンコーダパルス割込はズームレンズ駆動機構２４のモータの動作によって発生し、ズームボタンの種類を検出し（ステップＳ２６）、さらにズームアップボタンが押下されたか否かを判断する（ステップＳ２７）。ズームアップボタンが押下された場合（つまり、ズームアップの場合）は、position_cntをカウントアップし（ステップＳ２８）、ズームアップボタンが押下されていない場合（つまり、ズームダウンの場合）は、position_cntをカウントダウンする（ステップＳ２９）。
【００３３】
このように制御することにより、position_cntには現在のレンズ位置に応じた値を格納することができる。
【００３４】
図１２は、ズーム位置の確認処理における動作を説明したフローチャートである。zoom_positionは、事前に設計したposition_cntと焦点距離の対応表position_tableを引くことで取得することができる（ステップＳ３０）。
【００３５】
図１３はズーム位置テーブルを示している。同図（Ａ）のようなposition_cntの値に応じて、事前に設計した焦点距離を同図（Ｂ）のようなposition_tableとして保持しておくことで、position_cntより焦点距離を知ることができる。
【００３６】
ここで、知った焦点距離は、ＬＣＤ１７に表示して操作者に撮影情報として見せることや、撮影画像の記録情報として保存することや、画像処理のパラメータなどに使用される。
【００３７】
次に、本実施例の特徴部分について説明する。本実施例では、図１４に示すように、補助光学系１２と画像処理チップ１５との間にデジタルズーム回路５１が介在されている。デジタルズーム回路５１は映像Ｉ／Ｆ５２及び制御Ｉ／Ｆ５３を介して画像処理チップ１５に接続されている。また、補助光学系１２は制御Ｉ／Ｆ１４のみを介して画像処理チップ１５に接続されている。
【００３８】
撮影用光学系１１は、図２の場合と同様、映像Ｉ／Ｆ１３及び制御Ｉ／Ｆ１４を介して画像処理チップ１５に接続されている。表示制御部１６、ＬＣＤ１７、外部メモリ１８、操作部１９は、図２の場合と同様である。
【００３９】
図１５は、図１４の撮像装置１０におけるズーム制御用の変数、及びそのテーブルを示している。ここで、position_cntは撮影用光学系のズームレンズ群の基準点からの位置をパルス数で保持することを示しており、また、position_tableは撮影用光学系のposition_cntで示されるズームレンズ位置と焦点距離のテーブルを、zoom_positionは撮影用光学系の現在の焦点距離を、zoom_assist_magn_tableは、position_cntと、対応するズーム撮影補助機能の表示倍率のテーブルをそれぞれ示している。
【００４０】
図１６はズーム位置テーブルを示している。図１６（Ａ）のposition_cntの値は図１３（Ａ）のposition_cntの値と同じであり、また、図１６（Ｂ）のposition_tableの値は図１３（Ｂ）のposition_tableの値と同じである。図１３との差異は、ズーム撮影補助機能のズーム倍率をposition_cnt毎に設定できるzoom_assist_magn_tableを追加していることである。
【００４１】
次に、図１４に示した撮像装置１０におけるズーム操作の動作について説明する。
【００４２】
図１７（Ａ）は、ズーム操作制御における動作を説明したフローチャートである。図１７（Ａ）における制御は、図１１（Ａ）の場合と同様である。すなわち、撮影者がズームボタンを押してズーム操作が開始すると、ズームボタンの種類検出を行い（ステップＳ４０）、さらにズームアップボタンが押下されたか否かを判断する（ステップＳ４１）。ズームアップボタンが押下された場合（つまり、ズームアップの場合）はズームレンズ駆動機構２４のモータをテレ側に駆動開始し（ステップＳ４２）、ズームアップボタンが押下されていない場合（つまり、ズームダウンの場合）はワイド側にモータを駆動開始（ステップＳ４３）する。
【００４３】
ズームレンズ駆動機構２４のモータをテレ側又はワイド側に駆動する処理が終了したら、ズームボタン開放割込を待って（ステップＳ４４）、ズームレンズ駆動機構２４のモータを停止する（ステップＳ４５）。
【００４４】
図１７（Ｂ）は、ロータリーエンコーダパルス割込制御における動作を説明したフローチャートである。図１７（Ｂ）におけるステップＳ４６〜ステップＳ４９の処理は、図１１（Ｂ）におけるステップＳ２６〜ステップＳ２９の処理と同様である。すなわち、ロータリーエンコーダパルス割込はズームレンズ駆動機構２４のモータの動作によって発生し、ズームボタンの種類を検出し（ステップＳ４６）、さらにズームアップボタンが押下されたか否かを判断する（ステップＳ４７）。ズームアップボタンが押下された場合（つまり、ズームアップの場合）は、position_cntをカウントアップし（ステップＳ４８）、ズームアップボタンが押下されていない場合（つまり、ズームダウンの場合）は、position_cntをカウントダウンする（ステップＳ４９）。
【００４５】
本実施例では、ステップＳ４８の処理又はステップＳ４９の処理の後、ロータリーエンコーダのパルス割込に、ズームの位置確認処理を行い（ステップＳ５０）、その後、デジタルズーム回路倍率の設定を行う（ステップＳ５１）。
【００４６】
本実施例によれば、ステップＳ５１における処理を追加したことにより、補助光学系のライブビュー４２（図６参照）が、撮影用光学系のズーム位置に応じて拡大（又は縮小）表示される。
【００４７】
すなわち、補助光学系の撮像素子からの入力に対して、表示倍率拡大を行うための画像処理プロセッサを追加することにより、撮影用光学系のズームポジション及び事前設定に従って、ピクチャ・イン・ピクチャ表示における補助光学系からの画像データの拡大倍率を変更することができる。
【００４８】
よって、補助光学系からの映像において、ユーザが目的の被写体を見つけやすくすることができ、結果として撮像光学系のズーム操作による撮影構図決定がしやすくなる。
【００４９】
《実施例２》
次に、実施例２について説明する。図１８は、実施例２による撮像装置におけるズーム制御用の変数、及びそのテーブルを示している。ここで、position_cntは撮影用光学系のズームレンズ群の基準点からの位置をパルス数で保持することを示しており、また、position_tableは撮影用光学系のposition_cntで示されるズームレンズ位置と焦点距離のテーブルを、zoom_positionは撮影用光学系の現在の焦点距離を、assist_magn_rateは撮影用光学系とズーム撮影補助機能の表示倍率比を、assist_magnは補助光学系のデジタルズーム回路に適用する拡大倍率をそれぞれ示している。
【００５０】
また、zoom_assist_magn_table1は、position_cntと、対応するズーム撮影補助機能の表示倍率のテーブル１(assist_magn_rate=0.25用)を、zoom_assist_magn_table2は、position_cntと、対応するズーム撮影補助機能の表示倍率のテーブル１(assist_magn_rate=0.5用)を、zoom_assist_magn_table3は、position_cntと、対応するズーム撮影補助機能の表示倍率のテーブル１(assist_magn_rate=0.75用)をそれぞれ示している。  
【００５１】
本実施例においては、上記のように、操作者により選択されるassist_magn_rate値を持つことと、zoom_assist_magn_tableを複数持つことである。これら２つの点が実施例１の場合と大きく異なっている。assist_magn_rateは、撮影用光学系と、補助光学系のズーム倍率の比を保持するために使用される。
【００５２】
図１９（Ａ）は操作者がassist_magn_rateを選択するための画面例を示した図であり、また、図１９（Ｂ）は選択の手順を示したフローチャートである。図１９（Ａ）の上図のように、画面上にズームアシスト倍率選択メニューが表示される（ステップＳ６０）。そして、操作者が画面上でズーム撮影補助倍率比をクリックすると、図１９（Ａ）の下図のように、同画面上に０.２５倍、０.５倍、０.７５倍のズーム撮影補助倍率比が表示される。その表示されたズーム撮影補助倍率比の中から、操作者が任意のズーム撮影補助倍率比（例えば０.５倍）を選択すると、その選択されたズーム撮影補助倍率比に設定される（ステップＳ６１）。
【００５３】
図２０は、ズーム撮影補助倍率比が選択される際の動作を示すフローチャートである。先ず、assist_magn_rateが０.２５倍に選択されたか否かを判断され（ステップＳ７０）、０.２５倍に選択された場合は、ズーム撮影補助倍率比を０.２５倍に設定する（ステップＳ７１）。
【００５４】
ステップＳ７０において、０.２５倍に選択されなかった場合は、assist_magn_rateが０.５倍に選択されたか否かを判断され（ステップＳ７２）、０.５倍に選択された場合は、ズームアシト倍率比を０.５倍に設定する（ステップＳ７３）。
【００５５】
ステップＳ７２において、０.５倍に選択されなかった場合は、ズーム撮影補助倍率比を０.７５倍に設定する（ステップＳ７４）。
【００５６】
図２１は、ズーム制御時にデジタルズーム回路倍率設定での倍率設定制御を説明する図である。図２１（Ａ）のposition_cntの値は図１６（Ａ）のposition_cntの値と同じであり、また図２１（Ｂ）のposition_tableの値は図１６（Ｂ）のposition_tableの値と同じである。本実施例では、図１６（Ｃ）のzoom_assist_magn_tableの代わりに、図２１（Ｃ）〜（Ｅ）のようにzoom_assist_magn_table1、zoom_assist_magn_table2、zoom_assist_magn_table3が追加されている。
【００５７】
本実施例によれば、操作者が、選択した倍率に従ってズーム撮影補助倍率テーブルを選択して、補助光学系のライブビューの拡大倍率を決定することができる。これにより、操作者の要望に適したズーム撮影補助機能のライブビュー表示を得ることが可能となる。
【００５８】
以上、本発明の実施例を図面により詳述してきたが、上記各実施例は本発明の例示にしか過ぎないものであり、本発明は上記各実施例の構成にのみ限定されるものではない。本発明の要旨を逸脱しない範囲の設計の変更等があっても、本発明に含まれることは勿論である。
【符号の説明】
【００５９】
１０  撮像装置
１１  撮影用光学系
１２  補助光学系
１３  映像Ｉ／Ｆ
１４  制御Ｉ／Ｆ
１５  画像処理チップ
１６  表示制御部
１７  ＬＣＤ
１８  外部メモリ
１９  操作部
２２，２３  ズームレンズ
２４  ズームレンズ駆動機構
２５  ズームレンズ位置検出機構
２６  撮像素子
３１  固定焦点レンズ
３３  撮像素子
４３  ロータリーエンコーダ
４４  フォトインタラプタ
５１  デジタルズーム回路
５２  映像Ｉ／Ｆ
５３  制御Ｉ／Ｆ
【先行技術文献】
【特許文献】
【００６０】
【特許文献１】特開２０１１‐０４５０３９号公報
【図１】
2013098905.tif 000003
【図２】
2013098905.tif 000004
【図３】
2013098905.tif 000005
【図４】
2013098905.tif 000006
【図５】
2013098905.tif 000007
【図６】
2013098905.tif 000008
【図７】
2013098905.tif 000009
【図８】
2013098905.tif 000010
【図９】
2013098905.tif 000011
【図１０】
2013098905.tif 000012
【図１１】
2013098905.tif 000013
【図１２】
2013098905.tif 000014
【図１３】
2013098905.tif 000015
【図１４】
2013098905.tif 000016
【図１５】
2013098905.tif 000017
【図１６】
2013098905.tif 000018
【図１７】
2013098905.tif 000019
【図１８】
2013098905.tif 000020
【図１９】
2013098905.tif 000021
【図２０】
2013098905.tif 000022
【図２１】
2013098905.tif 000023